(57)【要約】【課題】エレベータが連続して停止する時間を短縮でき、かつ取付母材の交換を要せずに表示盤を取替えを行なえるエレベータ表示盤の取付装置の提供。【解決手段】取付側板３に、新設かご内操作盤６が装着可能な開口部３ｂを形成し、この開口部３ｂに既設かご内操作盤４が着脱可能なアタッチメント部材７を取外し可能に設けた。これにより、取付側板３から既設かご内操作盤４を外した後、取付側板３に開口部３ｂを形成し、この開口部３ｂにアタッチメント部材７を介して既設かご内操作盤４を装着してエレベータを運転可能とする。その後、取付側板３からアタッチメント部材７を外して新設かご内操作盤６を装着する。【選択図】        図１
2004182395.tif 000002
【特許請求の範囲】
【請求項１】
エレベータ乗場および乗かごの少なくとも一方に配設される既設表示盤を、装着寸法の大きい新設表示盤に取替えるエレベータ表示盤の取付方法において、
前記既設表示盤を取付母材の第１の開口部から取外す第１の工程と、前記第１の開口部より大きく前記新設表示盤が装着可能な第２の開口部を前記取付母材に形成する第２の工程と、前記新設表示盤の装着寸法と同一の装着寸法を有するアタッチメント部材に、前記既設表示盤を装着するとともに、前記アタッチメント部材を前記第２の開口部に装着して配線を行ない、エレベータを運転可能とする第３の工程と、前記アタッチメント部材を前記第２の開口部から取外した後、この第２の開口部に前記新設表示盤を装着して配線を行なう第４の工程とを備えたことを特徴とするエレベータ表示盤の取付方法。
【請求項２】
エレベータ乗場および乗かごの少なくとも一方に配設される既設表示盤を、装着寸法の大きい新設表示盤に取替えるエレベータ表示盤の取付装置において、
前記既設表示盤が取付られる取付母材に、前記新設表示盤が装着可能な開口部を形成し、この開口部に、前記既設表示盤が着脱可能なアタッチメント部材を取外し可能に設けたことを特徴とするエレベータ表示盤の取付装置。
【発明の詳細な説明】
【０００１】
【発明の属する技術分野】
本発明は、乗場や乗かごに設けられる操作盤及びかご位置表示装置などのエレベータ表示盤の取付方法及び取付装置に係り、特に、エレベータ表示盤を改造するのに好適なエレベータ表示盤の取付方法及び取付装置に関する。
【０００２】
【従来の技術】
図４は一般的なエレベータに設けられる乗かごの内部を示す斜視図である。
【０００３】
図４に示すエレベータの乗かご１では、出入口ドア２の左側に、エレベータ表示盤、例えば既設かご内操作盤４が取付けられる取付母材、例えば化粧板からなる取付側板３が設けられ、出入口ドア２の上部に、乗かご１の位置を表示するかご位置表示装置５が設けられている。
【０００４】
そして従来、既設かご内操作盤４の取付け穴を用いて新設かご内操作盤を取付けるエレベータ表示盤の取付装置として、新設かご内操作盤のカバーを既設かご内操作盤４の取付けに合わせて形成するとともに、取付側板３に、カバーの裏面に一体的に設けられ、既設かご内操作盤４の取付け穴に対して新設かご内操作盤がコンパクトなものであることによって生じる隙間を覆うケースと、このケースを支持するブラケットとを備えたものが提案されている（例えば、特許文献１参照。）。
【０００５】
また、既設エレベータ制御装置を新設エレベータ制御装置に更新する作業と、既設乗かご１を新設乗かごに更新する作業とを分割して行なうエレベータの改修方法において、既設エレベータ制御装置を新設エレベータ制御装置に更新する第１の工程で、既設かご内操作盤４を備えた取付側板３を、新設かご内操作盤を備えた取付側板に交換し、この新設かご内操作盤と新設エレベータ制御装置間の配線作業を行ない、次いで、既設乗かご１を新設乗かごに更新する第２の工程で、既設乗かご１に先行して取付けていた新設かご内操作盤を備えた取付側板を取外して新設乗かごに取付けるものが提案されており、第１の工程で既設エレベータ制御装置を新設エレベータ制御装置に更新し、次いで、第２の工程で既設乗かご１を新設乗かごに更新するようにしているため、エレベータの連続停止期間を抑えて、第１の工程と第２の工程の途中でのエレベータ運転が可能になり、しかも、第１の工程のときに既設乗かご１の取付側板３を新設かご内操作盤の取付側板に交換するようにしたため、意匠性を考慮した新設かご内操作盤の取付側板を用いて乗かごの意匠性を高めることができる（例えば、特許文献２参照。）。
【０００６】
【特許文献１】
特開平８―３２４９３３号公報
（段落番号０００５，０００６、図１）
【０００７】
【特許文献２】
特開平１１−３４９２５３号公報
（段落番号０００６，０００７、図１）
【０００８】
【発明が解決しようとする課題】
ところで、上記した特許文献１に記載の従来技術では、点灯表示に白熱灯を使用した既設かご内操作盤４をＬＥＤ表示方式の新設かご内操作盤に交換するとき、既設かご内操作盤４は白熱灯の発熟量に対処するため、ケース部分がＬＥＤ表示方式の新設かご内操作盤より大きく形成されている場合のとき有効であるが、表示部分を見易くするために表示灯の間隔を広げたり、表示灯を２列に配置していたのを１列に配置する場合、ＬＥＤ使用の新設かご内操作盤でも白熱灯使用の既設かご内操作盤４よりケース部分が大きくなり、従来技術は使用できないという問題がある。また、新設かご内操作盤のカバーが既設かご内操作盤４の取付け穴より大きいため、この取付け穴を大きくする側板加工が必要となり、新設かご内操作盤のカバーへの取替え作業時間が掛かり、エレベータの利用者に迷惑をかけるという問題がある。
【０００９】
また、上記した特許文献２に記載の従来技術では、乗かご１の取付側板３を取替える改造が存在する場合にのみ可能であり、既設かご内操作盤４を取替えるだけの改造で新設かご内操作盤の取付側板を取替えることは費用が掛かるとともに、他の側板は汚れや傷等が目立ち意匠的に差が発生する問題がある。
【００１０】
本発明は、上述した従来技術における実状を鑑みてなされたもので、その目的は、エレベータが連続して停止する時間を短くすることができ、かつ表示盤が取付られる取付母材の交換を要せずに、新設表示盤を取付けることのできるエレベータ表示盤の取付方法及び取付装置を提供することにある。
【００１１】
【課題を解決するための手段】
上記目的を達成するために本発明の請求項１に係わる発明は、エレベータ乗場および乗かごの少なくとも一方に配設される既設表示盤を、装着寸法の大きい新設表示盤に取替えるエレベータ表示盤の取付方法において、前記既設表示盤を取付母材の第１の開口部から取外す第１の工程と、前記第１の開口部より大きく前記新設表示盤が装着可能な第２の開口部を前記取付母材に形成する第２の工程と、前記新設表示盤の装着寸法と同一の装着寸法を有するアタッチメント部材に、前記既設表示盤を装着するとともに、前記アタッチメント部材を前記第２の開口部に装着して配線を行ない、エレベータを運転可能とする第３の工程と、前記アタッチメント部材を前記第２の開口部から取外した後、この第２の開口部に前記新設表示盤を装着して配線を行なう第４の工程とを備えた構成にした。
【００１２】
また、上記目的を達成するために本発明の請求項２に係わる発明は、エレベータ乗場および乗かごの少なくとも一方に配設される既設表示盤を、装着寸法の大きい新設表示盤に取替えるエレベータ表示盤の取付装置において、既設表示盤が取付られる取付母材に、前記新設表示盤が装着可能な開口部を形成し、この開口部に、前記既設表示盤が着脱可能なアタッチメント部材を取外し可能に設けた構成にした。
【００１３】
このように構成した本発明では、既設表示盤を装着寸法の大きい新設表示盤に取替えるとき、既設表示盤を取付母材から取外した後、この取付母材に新設表示盤が装着可能な開口部を形成し、この開口部に既設表示盤を取付けたアタッチメント部材を装着して既設表示盤の配線を行ない、エレベータの通常運転が可能な状態にする。後日、既設表示盤を取付けたアタッチメント部材を上記の開口部から取外し、この開口部に新設表示盤を装着して配線を行ない、エレベータの通常運転の状態に復帰する。これによって、表示盤を取付ける取付母材の加工工程と、新設表示盤の取付け工程とを分割して行なうようにしたので、総作業時間は増えるものの、各工程におけるエレベータの停止時間を減少できるとともに、取付母材の交換を要せずに、既設表示盤を装着寸法の大きい新設表示盤に取替えることができる。
【００１４】
【発明の実施の形態】
以下、本発明のエレベータ表示盤の取付方法及び取付装置の実施の形態を図に基づいて説明する。
【００１５】
図１は本発明の一実施形態に係わるエレベータ表示盤の取付装置を示す斜視図、図２は本実施形態の取付装置を用いて新設表示盤を取付ける作業を説明する斜視図、図３は本実施形態の取付方法を説明するフローチャートである。なお、図１及び図２において前述した図４に示すものと同等のものには同一符号を付してある。
【００１６】
図１に示す取付側板３には、既設かご内操作盤４が装着可能な第１の開口部３ａが設けられ、既設かご内操作盤４は、例えば横１５ｃｍ、縦５０ｃｍの装着寸法を有し、内部に白熱灯が配置される円形の複数個のかご呼び釦４ａ及びドア開閉釦４ｂが２列に配置されている。また、図２に示す新設かご内操作盤６は、例えば横１７ｃｍ、縦７０ｃｍの装着寸法を有し、ＬＥＤ点灯方式で角型のかご呼び釦６ａ及びドア開閉釦６ｂが配列されている。
【００１７】
そして、本実施形態の取付装置では、取付側板３に、新設かご内操作盤６が装着可能な第２の開口部３ｂが形成され、この第２の開口部３ｂに、既設かご内操作盤４が着脱可能なアタッチメント部材７を取外し可能に設けている。このアタッチメント部材７は、新設かご内操作盤６の装着寸法と同一の装着寸法（例えば横１７ｃｍ、縦７０ｃｍの装着寸法）を有するとともに、既設かご内操作盤４が着脱可能な第３の開口部７ａが形成されている。
【００１８】
本実施形態の取付方法にあっては、図３に示す作業手順にしたがって既設かご内操作盤４を装着寸法の大きい新設かご内操作盤６に取替えるようになっている。すなわち、まず手順Ｓ１として、取付側板３の第１の開口部３ａから既設かご内操作盤４を取外した後、手順Ｓ２として、第１の開口部３ａの下方及び側方部分（図１の斜線部分）の切欠き部３ｃを切欠くことにより、第１の開口部３ａから第２の開口部３ｂまで広げる。次いで手順Ｓ３として、アタッチメント部材７の第３の開口部７ａに既設かご内操作盤４を取付けるとともに、アタッチメント部材７を取付側板３の第２の開口部３ｂに取付けて既設かご内操作盤４の配線を行なう。このようにして既設かご内操作盤４を再び装着して使用可能な状態にした後、手順Ｓ４として、アタッチメント部材７を介して取付けられた既設かご内操作盤４の操作により、かご呼びを登録してエレベータを走行させる通常運転を行なう。
【００１９】
次にＬＥＤ点灯方式の新設かご内操作盤６に取替えるとき、手順Ｓ５として、図示しない制御回路の少なくとも電源の配線変更を行ない、手順Ｓ６として、アタッチメント部材７を第２の開口部３ｂから取外した後、手順Ｓ７として、この第２の開口部３ｂに新設かご内操作盤６を装着して配線作業を行なって取替作業を完了する。これによって、エレベータは通常運転に戻り新設かご内操作盤６のかご呼び登録によって目的階へ走行する。
【００２０】
このように構成した実施形態では、既設かご内操作盤４を新設かご内操作盤６に取替えるに際して、取付側板３の加工工程と、新設かご内操作盤４の取付け工程とを分割して行なうようにしたので、総作業時間は増えるものの、各工程におけるエレベータの停止時間を減少できる。
【００２１】
また、本実施形態では、取付側板３の交換を要せずに、既設かご内操作盤４を装着寸法の大きい新設かご内操作盤６に取替えることができるとともに、アタッチメント部材７も使い回しが行なえるので、エレベータ表示盤の改造に要する費用が安価となる。
【００２２】
なお、上記実施形態では、図４の乗かご１内の既設かご内操作盤４を新設かご内操作盤６に取替える場合を例示したが、その他のエレベータ表示盤についても同様であり、図４のかご位置表示装置５あるいは乗場に設けられる図示しない乗場呼び装置やかご位置表示装置も、取付側板３などの取付母材に装着されているものであれば、同様の手順で新設のものに取替えることができる。
【００２３】
さらに、上記実施形態では、図３の手順Ｓ１によって、既設かご内操作盤４を取付側板３の第１の開口部３ａから取外す第１の工程が構成され、手順Ｓ２によって、第１の開口部３ａより大きく既設かご内操作盤４が装着可能な第２の開口部３ｂを、取付側板３に形成する第２の工程が構成され、手順Ｓ３によって、新設かご内操作盤６の装着寸法と同一の装着寸法を有するアタッチメント部材７に、既設かご内操作盤４を装着するとともに、アタッチメント部材７を第２の開口部３ｂに装着して配線を行ない、手順Ｓ４のように、アタッチメント部材７に取付けられた既設かご内操作盤４の操作でかご呼びを登録してエレベータの通常運転を可能とする。第３の工程が構成され、手順Ｓ６及び手順Ｓ７によって、アタッチメント部材７を第２の開口部３ｂから取外した後、この第２の開口部３ｂに新設かご内操作盤６を装着して配線を行なう第４の工程が構成されている。
【００２４】
【発明の効果】
以上説明したように本発明によれば、表示盤を取付ける取付母材の加工工程と、新設表示盤の取付け工程とを分割して行なうようにしたので、総作業時間は増えるものの、各工程におけるエレベータの停止時間を減少できるとともに、取付母材の交換を要せずに、既設表示盤を装着寸法の大きい新設表示盤に取替えることができ、さらにアタッチメント部材も使い回しが行なえる。したがって、エレベータ表示盤の改造作業に伴うエレベータ利用者への迷惑を少なくできるとともに、エレベータ表示盤の改造費用を比較的安価なものにすることができるという効果がある。
【図面の簡単な説明】
【図１】本発明の一実施形態に係わるエレベータ表示盤の取付装置を示す斜視図である。
【図２】本実施形態の取付装置を用いて新設表示盤を取付ける作業を説明する斜視図である。
【図３】本実施形態の取付方法を説明するフローチャートである。
【図４】一般的なエレベータに設けられる乗かごの内部を示す正面図である。
【符号の説明】
３  取付側板（取付母材）
３ａ  第１の開口部
３ｂ  第２の開口部
３ｃ  切欠き部
４  既設かご内操作盤（既設表示盤）
６  新設かご内操作盤（新設表示盤）
７  アタッチメント部材
７ａ  第３の開口部
【図１】
2004182395.tif 000003
【図２】
2004182395.tif 000004
【図３】
2004182395.tif 000005
【図４】
2004182395.tif 000006